(57)【要約】【課題】  マイク入力系への内部混入ノイズをキャンセルする。【解決手段】  基板上のパターンとしてマイクロホン接続ジャックとマイクアンプの間のオーディオ信号線パターンに対して並走するグランド配線パターンを形成する。マイクアンプは差動アンプで構成され、オーディオ信号線パターンを介して入力されたオーディオ信号に対して差動増幅処理を行うが、その差動アンプのネガティブフィードバック側が、オーディオ信号線パターンと並走するグランドパターンに接続されて接地されるようにする。オーディオ信号線パターンと並走するグランドパターンには、オーディオ信号線パターンと同様のノイズの影響が与えられるため、オーディオ信号に重畳するノイズと同相ノイズが差動アンプの基準側に与えられることになり、差動増幅処理でノイズキャンセルが行われる。【選択図】  図７
2005252945.tif 000002
【特許請求の範囲】
【請求項１】
基板上に配され、オーディオ信号が入力される入力部と、
上記基板上に配され、上記入力部から供給されるオーディオ信号に対して差動アンプによる差動増幅処理を行うアンプ手段とを備え、
上記基板上において、上記差動アンプのネガティブフィードバック側は、上記入力部と上記アンプ手段の間のオーディオ信号線パターンに対して並走するように形成されたパターンを介してグランド接続されることを特徴とするオーディオ機器。
【請求項２】
上記入力部は、外部のマイクロホンのプラグが接続されるジャック部として形成されるとともに、上記アンプ手段は、マイクロホンにより入力されたオーディオ信号に対するプリアンプであることを特徴とする請求項１に記載のオーディオ機器。
【請求項３】
上記アンプ手段で処理されたオーディオ信号に対して、所定のエンコード処理を行うエンコード手段と、
上記エンコード手段でエンコードされた信号を記録媒体に記録する記録手段とを、
さらに備えることを特徴とする請求項１に記載のオーディオ機器。
【発明の詳細な説明】
【技術分野】
【０００１】
本発明は、マイクロホンによって得られたオーディオ信号等が入力されるオーディオ機器に関するものである。
【背景技術】
【０００２】
【特許文献１】特開２０００−３３１４２２号公報
【特許文献２】特開２０００−３２２８２６号公報
【０００３】
光ディスク（光磁気ディスク）メディアやテープメディア、或いは固体メモリを記録媒体として、マイクロホンで集音された音声信号（オーディオ信号）を録音する録音装置が各種普及している。例えば光磁気ディスクであるＭＤ（Mini Disc）やフラッシュメモリなど記録メディアとするレコーダとしては、小型軽量の携帯用録音機器が各種普及しており、これらによっては、マイクロホン入力による録音として、例えばコンサートやライブ演奏の録音、楽器練習での録音、会議／ミーティングのメモとしての録音、環境音の録音など、多様な録音用途に使用されている。
上記特許文献１，２には、マイクロホン入力音声を録音する携帯型の機器の例が示されている。
【発明の開示】
【発明が解決しようとする課題】
【０００４】
ところで、携帯に適した小型の機器では、オーディオ信号に乗るノイズが特に問題となる。例えばオーディオ機器では一般に、デジタル処理系において使用する高周波クロックの影響によるデジタルノイズ、ディスクや光学ヘッドを駆動する各種モータから輻射されるノイズ、さらには電源ノイズなどがあるが、小型機器の場合、これらの影響が深刻になる。
電源回路に関しては、小型化の要請によりスイッチング電源回路が用いられるが、この場合、スイッチング動作によりコンバータトランス等から電磁ノイズが発生する。機器筐体が小型であると、マイクロホン入力等のオーディオ信号経路と電源回路部分は近接せざるを得ず、これによってオーディオ信号に対する電磁ノイズの影響が大きくなる。
同様にデジタルノイズ、モータノイズなどでも、その発生源とオーディオ信号経路は近接せざるを得ないため、オーディオ信号に対する影響が大きい。
また構成の小型化、軽量化、簡略化などの要請から、オーディオ信号経路が形成される基板に影響するノイズに対して十分なシールド対策を施すことが困難である場合も多い。
【課題を解決するための手段】
【０００５】
そこで本発明は、オーディオ機器において、マイクロホン入力等のオーディオ信号に重畳されるノイズを効果的に減少させ、信号品位を改善することを目的とし、特に小型のオーディオ機器においても好適な技術を提案する。
【０００６】
本発明のオーディオ機器は、基板上に配され、オーディオ信号が入力される入力部と、上記基板に配され、上記入力部から供給されるオーディオ信号に対して差動アンプによる差動増幅処理を行うアンプ手段とを備える。そして上記基板上において、上記差動アンプのネガティブフィードバック側は、上記入力部と上記アンプ手段の間のオーディオ信号線パターンに対して並走するように形成されたパターンを介してグランド接続されるようにする。
この場合、上記入力部は、外部のマイクロホンのプラグが接続されるジャック部として形成されるとともに、上記アンプ手段は、マイクロホンにより入力されたオーディオ信号に対するプリアンプである。
また上記アンプ手段で処理されたオーディオ信号に対して、所定のエンコード処理を行うエンコード手段と、上記エンコード手段でエンコードされた信号を記録媒体に記録する記録手段とを、さらに備える。つまり本発明のオーディオ機器を、マイクロホン入力等のオーディオ信号を記録媒体に記録できる記録装置として実現する。
【０００７】
このような本発明では、基板上の配線パターンとして、上記入力部と上記アンプ手段の間のオーディオ信号線パターンに対して並走するパターンを形成する。この並走するパターンはグランド配線用のパターンである。
上記アンプ手段は差動アンプで構成され、オーディオ信号線パターンを介して入力されたオーディオ信号に対して差動増幅処理を行うが、その差動アンプのネガティブフィードバック側が、オーディオ信号線パターンと並走するグランド配線パターンに接続されている。この場合、オーディオ信号線パターンと並走するグランド配線パターンには、オーディオ信号線パターンと同様のノイズの影響が与えられるため、オーディオ信号に重畳するノイズと同相ノイズが差動アンプの基準側に与えられることになる。
【発明の効果】
【０００８】
本発明によれば、アンプ手段の差動アンプのネガティブフィードバック側が、オーディオ信号線パターンと並走するグランド配線パターンに接続され、これによって差動アンプの基準入力側（反転入力）には、差動アンプの非反転入力に与えられるオーディオ信号と同相のノイズが入力されることになる。従って差動アンプの差動増幅処理により、オーディオ信号に重畳されたノイズ成分が効果的にキャンセルされることになり、ノイズ成分を著しく低減した高品位なオーディオ信号を得ることができる。
特に小型携帯用のオーディオ機器では、基板パターン設計、デジタル回路系、モータ、電源回路の配置などにおいて制限が多く、その回路配置やパターン設計が困難となっていたが、マイクロホン入力されるオーディオ信号に混入するノイズ成分をキャンセルできることから、小型機器の設計の容易性という効果も得ることができる。
また、マイク入力用のプリアンプの入力はノイズに対して非常に敏感であるため、上記構成によりマイクプリアンプ入力に対する混入ノイズを除去できることはオーディオ機器として適切であり、もちろんマイクロホン入力のオーディオ信号についてノイズ除去がなされることは、マイクロホン入力音声を記録媒体に記録する記録装置としても好適となる。
【発明を実施するための最良の形態】
【０００９】
以下、本発明の実施の形態を説明する。実施の形態のオーディオ機器は、マイクロホン入力されたオーディオ信号（音声、音楽等）を記録媒体に記録できる記録再生装置としての例とする。そして特に、携帯に適した小型軽量の機器とされる。
【００１０】
図１は、実施の形態としての記録再生装置１の内部構成例について示したブロック図である。
この実施の形態として挙げる記録再生装置は、一例として、磁界変調方式でデータ記録が行われる光磁気ディスクであるミニディスク（ＭＤ）方式のディスクに対する記録再生装置とする。但し、既に普及している音楽用途のミニディスクのみではなく、より高密度記録を可能とし、コンピュータユースの各種データのストレージに利用できる高密度ディスク（次世代ディスクとも言う）についても対応可能な記録再生装置である。
【００１１】
また本例の記録再生装置１は、例えばパーソナルコンピュータ（或いはネットワーク）５０等の外部の機器との間でデータ通信可能な機器とされる。
例えば記録再生装置１は、パーソナルコンピュータ５０とＵＳＢケーブル等の伝送路５１で接続されることで、パーソナルコンピュータ５０に対する外部ストレージ機器として機能できる。また、パーソナルコンピュータ５０を介したり、或いは直接ネットワークと接続できる機能を備えるなどしてネットワーク接続されることで、音楽や各種データをダウンロードし、記録再生装置１においてストレージ部２に装填されたディスクに保存できるものともなる。
【００１２】
一方、この記録再生装置１はパーソナルコンピュータ５０等に接続しなくとも、例えばオーディオ機器として機能する。例えば他のオーディオ機器等から入力された音楽／音声等のオーディオデータ、或いは接続されたマイクロホン（もしくは内蔵マイクロホン）によって入力された音楽／音声等のオーディオデータをディスクに記録したり、ディスクに記録されたオーディオデータを再生出力することができる。
即ち本例の記録再生装置１は、パーソナルコンピュータ５０等に接続されることで汎用的なデータストレージ機器として利用でき、かつ単体ではオーディオ記録再生機器としても利用できる装置である。
【００１３】
ここで、本例の記録再生装置１の構成の説明に先立って、記録再生装置１が対応する、光磁気記録による次世代ディスクの概要について説明しておく。
先ず、このような次世代ディスクとしては、現行のパーソナルコンピュータとの親和性が図れるように、ファイル管理システムとしてＦＡＴ（File Allocation Table）システムを使って、オーディオデータのようなコンテンツデータを記録再生するものである。
また、現行のＭＤシステムに対して、エラー訂正方式や変調方式等の改善を行うことで、データの記録容量の増大を図るとともにデータの信頼性を高めているものである。
【００１４】
次世代ディスクの記録再生のフォーマットとしては、現在２種類の仕様が開発されている。説明上、これらを第１の次世代ＭＤ、第２の次世代ＭＤと呼ぶこととする。
第１の次世代ＭＤは、現行のＭＤシステムで用いられているディスクと全く同様のディスクを用いるようにした仕様であり、第２の次世代ＭＤは、現行のＭＤシステムで用いられているディスクと外形は同様であるが、磁気超解像度（ＭＳＲ）技術を使うことにより、線記録方向の記録密度を上げて、記録容量をより増大した仕様である。
【００１５】
現行のＭＤシステム（オーディオ用ＭＤやＭＤ−ＤＡＴＡ）では、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
第１，第２の次世代ＭＤの仕様でも、これらディスクの形状やカートリッジの形状は、全て同じである。リードイン領域の開始位置についても、第１，第２の次世代ＭＤのディスクも、半径位置２９ｍｍから始まり、現行のＭＤシステムで使用されているディスクと同様である。
つまり、従来のＭＤシステムとの外形上での互換性が確保されているものである。
【００１６】
トラックピッチについては、第２の次世代ＭＤでは、１．２μｍから１．３μｍ（例えば１．２５μｍ）とすることが検討されている。これに対して、現行のＭＤシステムのディスクを流用する第１の次世代ＭＤでは、トラックピッチは１．６μｍとされている。ビット長は、第１の次世代ＭＤが０．４４μｍ／ビットとされ、第２の次世代ＭＤが０．１６μｍ／ビットとされる。冗長度は、第１，第２の次世代ＭＤともに、２０．５０％である。
【００１７】
第２の次世代ＭＤ仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
具体的に、第２の次世代ＭＤ仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００１８】
また、第２の次世代ＭＤ仕様のディスクでは、デトラックマージン、ランドからのクロストーク、ウォブル信号のクロストーク、フォーカスの漏れを改善するために、グルーブを深くし、グルーブの傾斜を鋭くしている。即ち第２の次世代ＭＤ仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
光学的仕様については、第１の次世代ＭＤの仕様では、レーザ波長λが７８０ｎｍとされ、光学ヘッドの対物レンズの開口率ＮＡが０．４５とされている。第２の次世代ＭＤの仕様も同様に、レーザ波長λが７８０ｎｍとされ、光学ヘッドの開口率ＮＡが０．４５とされている。
また、記録方式としては、第１，第２の次世代ＭＤとも、グルーブ記録方式が採用されている。つまり、グルーブ（ディスクの盤面上の溝）をトラックとして記録再生に用いるようにしている。
【００１９】
さらに、エラー訂正符号化方式としては、現行のＭＤシステムでは、ＡＣＩＲＣ(Advanced Cross Interleave Reed-Solomon Code) による畳み込み符号が用いられていたが、第１，第２の次世代ＭＤの仕様では、ＲＳ−ＬＤＣ（Reed Solomon−Long Distance Code）とＢＩＳ（Burst Indicator Subcode）とを組み合わせたブロック完結型の符号が用いられている。
ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２０】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
ＡＤＩＰの仕様については、現行のＭＤシステムと同様であるが、現行のＭＤシステムでは、２３５２バイトからなるセクターを記録再生のアクセス単位としているのに対して、第１，第２の次世代ＭＤの仕様では、６４Ｋバイトを記録再生のアクセス単位（レコーディングブロック）としている。
また、現行のＭＤシステムでは、エラー訂正符号としてＡＣＩＲＣと呼ばれる畳み込み符号が用いられているのに対して、第１，第２の次世代ＭＤの仕様では、ＬＤＣとＢＩＳとを組み合わせたブロック完結型の符号が用いられている。
そこで、現行のＭＤシステムのディスクを流用する第１の次世代ＭＤの仕様では、ＡＤＩＰ信号の扱いを、現行のＭＤシステムのときとは異なるようにしている。また、第２の次世代ＭＤでは、第２の次世代ＭＤの仕様により合致するように、ＡＤＩＰ信号の仕様に変更を加えている。
【００２１】
変調方式については、現行のＭＤシステムでは、ＥＦＭ(8 to 14 Modulation)が用いられているのに対して、第１，第２の次世代ＭＤの仕様では、ＲＬＬ（１，７）ＰＰ（ＲＬＬ;Run Length Limited ,ＰＰ;Parity Preserve/Prohibit rmtr(repeated minimum transition runlength))（以下、１−７ｐｐ変調と称する）が採用されている。また、データの検出方式は、第１の次世代ＭＤではパーシャルレスポンスＰＲ（１，２，１）ＭＬを用い、第２の次世代ＭＤではパーシャルレスポンスＰＲ（１，−１）ＭＬを用いたビタビ復号方式とされている。
【００２２】
また、ディスク駆動方式はＣＬＶ（Constant Linear Verocity）で、その線速度は、第１の次世代ＭＤの仕様では、２．７ｍ／秒とされ、第２の次世代ＭＤの仕様では、１．９８ｍ／秒とされる。なお、現行のＭＤシステムの仕様では、６０分ディスクで１．２ｍ／秒、７４分ディスクで１．４ｍ／秒とされている。
【００２３】
現行のＭＤシステムで用いられるディスクをそのまま流用する第１の次世代ＭＤの仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウマージンが０．５から０．６６６となり、この点で、１．３３倍の高密度化が実現できる。
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
これに対し磁気超解像度を利用した第２の次世代ＭＤの仕様のディスクでは、更に線密度方向の高密度化が図られ、データ総記録容量は、約１Ｇバイトになる。
なお、データレートは第１の次世代ＭＤでは４．４Ｍビット／秒であり、第２の次世代ＭＤでは、９．８Ｍビット／秒である。
【００２４】
図２（ａ）には、第１の次世代ＭＤのディスクの構成が示されている。
第１の次世代ＭＤのディスクは、現行のＭＤシステムのディスクをそのまま流用したものである。すなわち、透明のポリカーボネート基板上に、誘電体膜と、磁性膜と、誘電体膜と、反射膜とを積層して構成される。更に、その上に保護膜が積層される。
第１の次世代ＭＤのディスクでは、この図２（ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００２５】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザーＴＯＣ）が設けられる。
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００２６】
また、Ｕ−ＴＯＣの外周には、アラートトラックが設けられる。アラートトラックは、このディスクが第１の次世代ＭＤ方式で使用され、現行のＭＤシステムのプレーヤでは再生できないことを示す警告音が記録された警告トラックである。
【００２７】
図２（ｂ）には、第１の次世代ＭＤの仕様のディスクのレコーダブル領域の構成を示している。
この図２（ｂ）に示されるように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。
このようなガードバンドが設けられるため、現行のＭＤプレーヤに第１の次世代ＭＤの仕様のディスクが装着されて、不具合が発生されることが防止される。
【００２８】
１−７ｐｐ変調によりデータが変調されて記録される領域の先頭（内周側）には、ＤＤＴ(Disc Description Table)領域と、セキュアトラックが設けられる。ＤＤＴ領域には、物理的に欠陥のあるセクタ（レコーディングブロック）に対する交替セクタ処理をするために設けられる。
ＤＤＴ領域には、さらに、ユニークＩＤ（ＵＩＤ）が記録される。ＵＩＤは、記録媒体毎に固有の識別コードであって、例えば所定に発生された乱数に基づく。
セキュアトラックは、コンテンツの保護を図るための情報が格納される。
【００２９】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
このような第１の次世代ＭＤの仕様のディスクにおいて、上記したＵ−ＴＯＣ領域には、アラートトラックの開始位置の情報と、１−７ｐｐ変調でデータが変調されて記録される領域の開始位置の情報が記録されるものとなる。
【００３０】
ここで、現行のＭＤシステムのプレーヤに、上記構成による第１の次世代ＭＤのディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが第１の次世代ＭＤ方式で使用され、現行のＭＤシステムのプレーヤでは再生できないことを示す警告音が記録されている。
この警告音から、このディスクが現行のＭＤシステムのプレーヤでは使用できないことが通知される。
なお、この場合の警告音としては、「このプレーヤでは使用できません」というような言語による警告とすることができる。勿論、ブザー音とするようにしても良い。
【００３１】
一方、第１の次世代ＭＤに準拠したプレーヤに対し、第１の次世代ＭＤのディスクが装着された場合、Ｕ−ＴＯＣ領域が読み取られ、Ｕ−ＴＯＣの情報から１−７ｐｐ変調でデータが記録された領域の開始位置が分かり、上記したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００３２】
続いて図３（ａ）には、第２の次世代ＭＤのディスクの構成を示す。
この場合もディスクは、透明のポリカーボネート基板上に誘電体膜、磁性膜、誘電体膜、反射膜、さらにその上層に保護膜を積層して成る。
そして、第２の次世代ＭＤのディスクの場合では、図示するようにディスクの内周のリードイン領域には、ＡＤＩＰ信号により、コントロール情報が記録されるものとなる。
第２の次世代ＭＤのディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００３３】
或るディスクが第１の次世代ＭＤ１であるか第２の次世代ＭＤであるかは、例えば、リードインの情報から判断できる。
すなわち、リードインにエンボスピットによるＰ−ＴＯＣが検出されれば、現行のＭＤまたは第１の次世代ＭＤのディスクであると判断できる。リードインにＡＤＩＰ信号によるコントロール情報が検出され、エンボスピットによるＰ−ＴＯＣが検出されなければ、第２の次世代ＭＤであると判断できる。
なお、第１、第２の次世代ＭＤの判別は、このような方法に限定されるものではない。オントラックのときとオフトラックのときとのトラッキングエラー信号の位相から判別することも可能である。勿論、カートリッジ等にディスク識別用の検出孔等を設けるようにしても良い。
【００３４】
第２の次世代ＭＤの仕様のディスクのレコーダブル領域の構成としては、図３（ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域と、セキュアトラックが設けられる。
この場合も上記ＤＤＴ領域には、物理的に欠陥のあるセクタ（レコーディングブロック）に対する交替セクタ処理を行うための領域とされる。またＤＤＴ領域には、上述したＵＩＤが記録される。さらにセキュアトラックには、この場合もコンテンツの保護を図るための情報が格納される。
また、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００３５】
そして、このような第２の次世代ＭＤのディスクにおいては、図からもわかるようにＵ−ＴＯＣ領域は設けられていない。つまり、第２の次世代ＭＤのディスクについては、次世代ＭＤに準拠したプレーヤのみでの使用が想定されているものである。
次世代ＭＤに準拠したプレーヤでは、第２の次世代ＭＤのディスクが装着されると、所定の位置にあるＤＤＴ、セキュアトラック、ＦＡＴ領域が読み取られ、ＦＡＴシステムを使ってデータの管理が行われることになる。
【００３６】
これまでに説明してきたような次世代ディスクに対応するために、図１に示す本例の記録再生装置１では、ストレージ部２として、図４に示す構成のストレージ部を備えて、コンテンツデータの記録・再生を行うものとされる。
図４において、このストレージ部２では、装填されたディスク４０をスピンドルモータ２９によってＣＬＶ方式で回転駆動させる。そして、このディスク４０に対しては記録／再生時に光学ヘッド１９によってレーザ光が照射される。
なお、この場合、ディスク４０としては、現行のＭＤ仕様のディスクと、第１の次世代ＭＤの仕様のディスクと、第２の次世代ＭＤの仕様のディスクとが装着される可能性があることから、これらのディスクにより線速度が異なるものとなる。
このため、スピンドルモータ２９は、装填されたディスク４０の別に応じた異なる線速度に対応して回転されることになる。
【００３７】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、図示は省略するがレーザ出力手段としてのレーザダイオード、偏光ビームスプリッタや対物レンズ等からなる光学系、及び反射光を検出するためのディテクタが搭載されている。光学ヘッド１９に備えられる対物レンズとしては、例えば２軸機構によってディスク半径方向及びディスクに接離する方向に変位可能に保持されている。
また、ディスク４０を挟んで光学ヘッド１９と対向する位置には磁気ヘッド１８が配置されている。磁気ヘッド１８は記録データによって変調された磁界をディスク４０に印加する動作を行う。
また、図示しないが光学ヘッド１９全体及び磁気ヘッド１８をディスク半径方向に移動させためスレッドモータ及びスレッド機構が備えられている。
光学ヘッド１９および磁気ヘッド１８は、第２の次世代ＭＤのディスクの場合には、パルス駆動磁界変調を行うことで、微少なマークを形成することができる。現行ＭＤのディスクや、第１の次世代ＭＤのディスクの場合には、磁界変調方式とされる。
【００３８】
また、このストレージ部２では、光学ヘッド１９、磁気ヘッド１８による記録再生ヘッド系、スピンドルモータ２９によるディスク回転駆動系のほかに、記録処理系、再生処理系、サーボ系等が設けられる。
【００３９】
記録処理系では、現行のＭＤシステムのディスクの場合において、オーディオトラックの記録時に、ＡＣＩＲＣでエラー訂正符号化を行い、ＥＦＭで変調してデータを記録する部位と、第１，第２の次世代ＭＤの場合に、ＢＩＳとＬＤＣを組み合わせた方式でエラー訂正符号化を行い、１−７ｐｐ変調により変調して記録する部位が設けられる。
再生処理系では、現行のＭＤシステムのディスクの再生時に、ＥＦＭの復調とＡＣＩＲＣによるエラー訂正処理と、第１，第２の次世代ＭＤシステムのディスクの再生時に、パーシャルレスポンスおよびビタビ復号を用いたデータ検出に基づく１−７ｐｐ復調と、ＢＩＳとＬＤＣによるエラー訂正処理とを行う部位が設けられる。
また、現行のＭＤシステムや第１の次世代ＭＤのＡＤＩＰ信号よるアドレスをデコードする部位と、第２の次世代ＭＤのＡＤＩＰ信号をデコードする部位とが設けられる。
【００４０】
光学ヘッド１９のディスク４０に対するレーザ照射によりその反射光として検出された情報（フォトディテクタによりレーザ反射光を検出して得られる光電流）は、ＲＦアンプ２１に供給される。
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク４０にトラックのウォブリングにより記録されているＡＤＩＰ情報）等を抽出する。
【００４１】
現行のＭＤシステムのディスクを再生するときには、ＲＦアンプで得られた再生ＲＦ信号は、ＥＦＭ復調部２４およびＡＣＩＲＣデコーダ２５で処理される。
すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。つまりこの時点でＡＴＲＡＣ圧縮データの状態となる。
そして現行のＭＤシステムのディスクの再生時には、セレクタ２６はＢ接点側が選択されており、その復調されたＡＴＲＡＣ圧縮データがディスク４０からの再生データとして出力される。
【００４２】
一方、第１，第２の次世代ＭＤのディスクを再生するときには、ＲＦアンプ２１で得られた再生ＲＦ信号は、ＲＬＬ（１−７）ＰＰ復調部２２およびＲＳ−ＬＤＣデコーダ２５で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正、及びデインターリーブ処理される。
そして、第１，第２の次世代ＭＤのディスクの再生時には、セレクタ２６はＡ接点側が選択されており、その復調されたデータがディスク４０からの再生データとして出力される。
【００４３】
ＲＦアンプ２１から出力されるトラッキングエラー信号、フォーカスエラー信号はサーボ回路２７に供給され、グルーブ情報はＡＤＩＰ復調部３０に供給される。
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。
そして、このように復調された、ディスク上の絶対アドレス情報であるＡＤＩＰアドレスは、図１に示されるシステムコントローラ８に供給される。システムコントローラ８ではＡＤＩＰアドレスに基づいて所要の制御処理を実行する。
またグルーブ情報はスピンドルサーボ制御のためにサーボ回路２７に供給される。
【００４４】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
またサーボ回路２７は、スピンドルエラー信号や、ＲＦアンプ２１から供給されたトラッキングエラー信号、フォーカスエラー信号、あるいはシステムコントローラ８からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【００４５】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。
このようなサーボドライブ信号により、ディスク４０に対するフォーカス制御、トラッキング制御、およびスピンドルモータ２９に対するＣＬＶ制御が行われることになる。
【００４６】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。
この場合、記録データとして図１に示されるキャッシュメモリ３から供給される圧縮データは、ＡＣＩＲＣエンコーダ１４でインターリーブおよびエラー訂正コード付加が行われた後、ＥＦＭ変調部１５でＥＦＭ変調が行われる。
そして、ＥＦＭ変調データがセレクタ１６を介して磁気ヘッドドライバ１７に供給され、磁気ヘッド１８がディスク４０に対してＥＦＭ変調データに基づいた磁界印加を行うことでオーディオトラックの記録が行われる。
【００４７】
これに対し、第１の次世代ＭＤまたは第２の次世代ＭＤにデータを記録する時には、セレクタ１６がＡ接点に接続され、ＲＳ−ＬＤＣエンコーダ１２およびＲＬＬ（１−７）ＰＰ変調部１３が機能することになる。この場合、キャッシュメモリ３からの高密度データは、ＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
そして、ＲＬＬ（１−７）符号列としての記録データがセレクタ１６を介して磁気ヘッドドライバ１７に供給され、磁気ヘッド１８がディスク４０に対して変調データに基づいた磁界印加を行うことでデータトラックの記録が行われる。
【００４８】
レーザドライバ／ＡＰＣ２０は、上記のような再生時および記録時においてレーザダイオードにレーザ発光動作を実行させるが、いわゆるＡＰＣ（Automatic Lazer Power Control）動作も行う。
つまり、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
なお、レーザパワーとしては、再生レーザパワー、記録レーザパワーとしての値がシステムコントローラ８によって、レーザドライバ／ＡＰＣ２０内部のレジスタにセットされる。
【００４９】
以上の各動作（アクセス、各種サーボ、データ書込、データ読出の各動作）は、図１に示されるシステムコントローラ８からの指示に基づいて実行されるものとなる。
【００５０】
説明を図１に戻し、本例の記録再生装置１内部の全体構成について説明する。
図１において、キャッシュメモリ３は、上記構成によるストレージ部２によりディスク４０に記録するデータ、或いはストレージ部２によってディスク４０から読み出されたデータについてのバッファリングを行うキャッシュメモリであり、例えばＤ−ＲＡＭより構成される。
キャッシュメモリ３へのデータの書込／読出は、システムコントローラ（ＣＰＵ）８において起動されるタスクによって制御される。
【００５１】
ＵＳＢインタフェース４は、例えばパーソナルコンピュータ５０とＵＳＢケーブルとしての伝送路５１で接続された際の、データ伝送のための処理を行う。
【００５２】
入出力処理部５は、例えば記録再生装置１が単体でオーディオ機器として機能する場合に記録再生データの入出力のための処理を行う。
この入出力処理部５は、例えば入力ＴINに対する入力系として、ライン入力回路／マイクロホン入力回路等のアナログ音声信号入力部、Ａ／Ｄ変換器や、デジタルオーディオデータ入力部を備える。またＡＴＲＡＣ圧縮エンコーダ／デコーダを備える。ＡＴＲＡＣ圧縮エンコーダ／デコーダは、ＡＴＲＡＣ方式によるオーディオデータの圧縮／伸長処理を実行するための回路である。なお、もちろんのこと、本実施の形態の記録再生装置としては、例えばＭＰ３などの他のフォーマットによる圧縮オーディオデータが記録再生可能な構成を採ってもよく、この場合には、これらの圧縮オーディオデータのフォーマットに対応したエンコーダ／デコーダを備えればよい。
また、本実施の形態としては、ビデオデータに関しては特に記録再生可能なフォーマットの限定は行わないが、例えばＭＰＥＧ４などが考えられる。そして、入出力処理部５としては、このようなフォーマットに対応したエンコーダ／デコーダを備えればよいこととなる。
さらに入出力処理部５は、出力ＴOUTに対する出力系として、デジタルオーディオデータ出力部や、Ｄ／Ａ変換器及びライン出力回路／ヘッドホン出力回路等のアナログ音声信号出力部を備える。
【００５３】
そして、この場合の入出力処理部５内には、暗号処理部（図示せず）が備えられる。暗号処理部においては、例えばディスクに記録すべきＡＶデータについて、所定のアルゴリズムによる暗号化処理を施すようにされる。また、例えばディスクから読み出されたＡＶデータについて暗号化が施されている場合には、必要に応じて暗号解読のための復号処理を実行するようにもされている。
【００５４】
入出力処理部５を介した処理として、ディスクにオーディオデータが記録されるのは、例えば入力ＴINとして入出力処理部５にデジタルオーディオデータ又はアナログ音声信号が入力される場合である。
なお、入力ＴINとは、光ケーブルによるデジタルオーディオデータ入力、ライン入力としてのアナログオーディオ信号入力、接続された外部マイクロホンによるアナログオーディオ信号入力等の各種入力をまとめて示したものである。また図示していないが、例えば記録再生装置１内にマイクロホンが内蔵され、その内蔵マイクロホンによって得られるアナログオーディオ信号が入力ＴINとされてもよい。
【００５５】
入力ＴINとしてのリニアＰＣＭデジタルオーディオデータ、或いはアナログ音声信号で入力されＡ／Ｄ変換器で変換されて得られたリニアＰＣＭオーディオデータは、必要に応じてＡＴＲＡＣ圧縮エンコードされてキャッシュメモリ３に蓄積される。そして所定タイミング（ＡＤＩＰクラスタ相当のデータ単位）でキャッシュメモリ３から読み出されてストレージ部２に転送される。ストレージ部２では、転送されてくる圧縮データを所定の変調方式で変調してディスクに記録する。
【００５６】
ディスクからミニディスク方式のオーディオデータが再生される場合は、ストレージ部２は再生データをＡＴＲＡＣ圧縮データ状態に復調してキャッシュメモリ３に転送する。そしてキャッシュメモリ３から読み出されて入出力処理部５に転送される。入出力処理部５は、供給されてくる圧縮オーディオデータに対してＡＴＲＡＣ圧縮デコードを行ってリニアＰＣＭオーディオデータとされ、デジタルオーディオデータ出力部から出力ＴOUTとして出力する。或いはＤ／Ａ変換器によりアナログ音声信号とされ、出力ＴOUTとしてライン出力／ヘッドホン出力を行う。
【００５７】
システムコントローラ８は、記録再生装置１内の全体の制御を行うと共に、接続されたパーソナルコンピュータ５０との間の通信制御を行う。
ＲＯＭ８ａには、システムコントローラ８の動作プログラムや固定パラメータ等が記憶される。
またＲＡＭ８ｂは、システムコントローラ８によるワーク領域として用いられ、また各種必要な情報の格納領域とされる。
例えばストレージ部２によってディスク４０から読み出された各種管理情報や特殊情報、例えば上述したＰ−ＴＯＣデータ、Ｕ−ＴＯＣデータ、ＦＡＴデータ等、楽曲トラックの管理情報については、キャッシュメモリ３に取り込まれるが、システムコントローラ８は、それらの管理情報の内、必要な情報をＲＡＭ８ｂに取り込んで処理することが行われる。
キャッシュ管理メモリ９は、例えばＳ−ＲＡＭで構成され、キャッシュメモリ３の状態を管理する情報が格納される。システムコントローラ８はキャッシュ管理メモリ９を参照しながらデータキャッシュ処理の制御を行う。
【００５８】
表示部６は、システムコントローラ８の制御に基づいて、ユーザーに対して提示すべき各種情報の表示を行う。例えば動作状態、モード状態、楽曲等の名称などの文字データ、トラックナンバー、時間情報、その他の情報表示を行う。
また、本例において、例えばディスク４０が次世代ディスクである場合には、このディスク４０に対し楽曲データに対応づけて画像データが記憶されていることが想定されているが、表示部６は、ディスク４０のロード時や再生時等においてシステムコントローラ８の制御に基づき、このように対応づけられた画像データの表示を行うようにすることも考えられる。
【００５９】
操作部７には、ユーザーの操作のための各種操作子として、各種操作ボタンやジョグダイヤルなどが形成される。ユーザーは、この操作部７に対する操作により記録再生装置１に対する所要の動作指示を行う。システムコントローラ８は操作部７によって入力された操作情報に基づいて所定の制御処理を行う。
なお本例においては、後述するＡＧＣ処理に関する操作として、ＡＧＣモードの選択操作や、ＡＧＣ機能のオン／オフ操作（オート／マニュアルの選択）のための操作子が、操作部７に設けられている。
【００６０】
なお、これまでに説明した記録再生装置１の構成はあくまでも一例であり、例えば入出力処理部５は、オーディオデータだけでなく、ビデオデータに対応する入出力処理系を備えるようにしてもよい。
また、パーソナルコンピュータ５０との接続はＵＳＢでなく、ＩＥＥＥ１３９４等の他の外部インタフェースが用いられても良い。
また、操作部７としては、リモートコントローラ上に先に例示したものと同様の操作子を備えるようにすることも可能である。
【００６１】
以上の構成の記録再生装置１においては、上記したように、入出力処理部５にはマイクロホン入力等のアナログオーディオ信号入力に対応する回路系が設けられている。
図５は入出力処理部５において、マイクロホン入力及びライン入力、つまりアナログオーディオ信号の入力に対する回路系のみを示している。
例えば記録再生装置１に接続されたマイクロホン（或いは記録再生装置１に内蔵されたマイクロホンでもよい）によって得られるオーディオ信号は、マイクアンプ５ａにおいて所定のゲインが与えられた後、ＡＧＣ及びＡ／Ｄ変換部５ｂに供給される。
またライン入力によるオーディオ信号はＡＧＣ及びＡ／Ｄ変換部５ｂに供給される。
【００６２】
ＡＧＣ及びＡ／Ｄ変換部５ｂでは、マイクロホン入力又はライン入力によるオーディオ信号に対して、可変ゲインアンプを用いたＡＧＣ（オートゲインコントロール）処理を行った後、Ａ／Ｄ変換を行ってデジタルオーディオ信号とする。このデジタルオーディオ信号は、エンコーダ５ｃにおいて圧縮エンコードや暗号化等の処理が行われ、図３のキャッシュメモリ３に供給される。そしてその後図４の構成のストレージ部２に転送されて記録用のエンコード処理が施されてディスク４０に記録（録音）されることになる。
【００６３】
この図５におけるマイクアンプ５ａ、ＡＧＣ及びＡ／Ｄ変換部５ｂとしての回路部分をＩＣ７０としてＩＣ化した場合の回路例を図６に示している。
外部マイクロホンが接続されるため、記録再生装置１にはマイクロホンのプラグを接続するジャックが設けられているが、図６ではステレオマイクロホンによるＬ、Ｒオーディオ信号（ＬMIC、ＲMIC）の入力部として、上記ジャックにおけるＬ端子５７Ｌ、Ｒ端子５７Ｒを示している。
【００６４】
ＩＣ７０内のマイクアンプ５ａにおいては、Ｌ、Ｒ各チャンネルに対応してプリアンプ部５０Ｌ、５０Ｒが設けられる。また、接続されたマイクロホンに対して電源供給を行うためのパワーサプライ回路５１も設けられている。
プリアンプ部５０Ｌは、差動アンプＡ１、抵抗Ｒ１，Ｒ２、可変抵抗ＶＲ１により構成される。そしてＬチャンネルのマイク入力オーディオ信号ＬMICは、ＤＣカット用のコンデンサＣ３を介して差動アンプＡ１の非反転入力端子に供給される。
差動アンプＡ１のネガティブフィードバック（出力−反転入力端子間）には可変抵抗ＶＲ１が配され、また差動アンプＡ１の反転入力端子は抵抗Ｒ２及びＤＣゲインキャンセルのためのコンデンサＣ１を介して接地される。
またプリアンプ部５０Ｒは、差動アンプＡ２、抵抗Ｒ３，Ｒ４、可変抵抗ＶＲ２により構成される。そしてＲチャンネルのマイク入力オーディオ信号ＬMICは、ＤＣカット用のコンデンサＣ４を介して差動アンプＡ２の非反転入力端子に供給される。
差動アンプＡ２のネガティブフィードバック（出力−反転入力端子間）には可変抵抗ＶＲ２が配され、また差動アンプＡ２の反転入力端子は抵抗Ｒ４及びＤＣゲインキャンセルのためのコンデンサＣ２を介して接地される。
【００６５】
つまり、これらのプリアンプ部５０Ｌ、５０Ｒは、マイク入力オーディオ信号ＬMIC、ＲMICを非反転入力とし、反転入力を基準電圧として差動増幅を行う構成とされる。
【００６６】
プリアンプ部５０Ｌから出力されるマイク入力オーディオ信号ＬMICは、コンデンサＣ５を介してＡＧＣ及びＡ／Ｄ変換器５ｂにおけるセレクタ５２Ｌに供給される。またセレクタ５２Ｌには、ライン入力端子のＬ端子５８Ｌからのライン入力オーディオ信号ＬLINEもコンデンサＣ６を介して供給される。
同様に、プリアンプ部５０Ｒから出力されるマイク入力オーディオ信号ＲMICは、コンデンサＣ７を介してセレクタ５２Ｒに供給される。またセレクタ５２Ｒには、ライン入力端子のＲ端子５８Ｒからのライン入力オーディオ信号ＲLINEもコンデンサＣ８を介して供給される。
セレクタ５２Ｌ、５２Ｒは、入力モードに応じてマイク入力／ライン入力を切り換える。セレクタ５２Ｌで選択されたＬチャンネルオーディオ信号は、ＡＧＣ回路５３ＬでＡＧＣ処理され、またセレクタ５２Ｒで選択されたＲチャンネルオーディオ信号は、ＡＧＣ回路５３ＲでＡＧＣ処理される。
ＡＧＣ処理されたＬ、Ｒ各チャンネルのオーディオ信号は、Ａ／Ｄ変換器５４でデジタルデータ化され、オーディオインターフェースコントローラ５５の制御により、次段のエンコーダ５ｃ（図５参照）側に受け渡される。オーディオインターフェースコントローラ５５は、マスタークロックＭＣＬＫ、ＬＲクロックＬＲＣＫ、ビットクロックＢＣＬＫに基づいて、デジタルオーディオ信号としてのストリームデータＳＤＴＯを出力する。
【００６７】
コントローラレジスタインターフェース５６は、マイクアンプ５ａやＡＧＣ及びＡ／Ｄ変換部５ｂに対する制御係数レジスタのインターフェースである。システムコントローラ８は、コントローラレジスタインターフェース５６を介して制御係数を書き込むことで、ＡＧＣ処理係数やセレクタ５２Ｌ、５２Ｒの選択の制御、或いはプリアンプ部５０Ｌ、５０Ｒの可変抵抗ＶＲ１，ＶＲ２の可変制御を行う。
【００６８】
このようなマイクアンプ５ａを備えた図５のＩＣは、基板上にマウントされ、同じく基板上に配されるジャックからのマイク入力オーディオ信号ＬMIC、ＲMICは、基板上の配線パターンにより入力されるが、上述したように、小型携帯用の機器では、ノイズの影響が大きく、特にプリアンプ部５０Ｌ、５０Ｒに対する入力信号はノイズに対して敏感となる。
そこで本例では、差動アンプＡ１，Ａ２のネガティブフィードバック側の接地を以下説明するように工夫して、差動アンプＡ１，Ａ２の差動増幅処理によりノイズがキャンセルされるようにする。
【００６９】
図７でその考え方を説明する。
図７は図６におけるマイク入力系を簡略的に示したものである。マイクロホンのプラグ６０が接続されるジャック５７は、上述したＬ端子５７Ｌ、Ｒ端子５７Ｒの他、グランド端子５７Ｇを有する。そしてこれらのジャック５７の各端子は、図６に示したＩＣと同一の基板上に取り付けられる。
これらＬ端子５７Ｌ、Ｒ端子５７Ｒ、グランド端子５７Ｇは、それぞれプラグ６０におけるＬ端子６０Ｌ、Ｒ端子６０Ｒ、グランド端子６０Ｇと接する。
【００７０】
マイクロホンからＬ端子５７Ｌに供給されるＬチャンネルのマイク入力オーディオ信号ＬMICは、基板上の配線パターン（信号線パターン）ＰLによりプリアンプ部５０Ｌに供給される。
またマイクロホンからＲ端子５７Ｒに供給されるＲチャンネルのマイク入力オーディオ信号ＲMICは、基板上の配線パターン（信号線パターン）ＰRによりプリアンプ部５０Ｒに供給される。
【００７１】
ここで、差動アンプＡ１，Ａ２におけるグランド接続を考える。差動アンプＡ１，Ａ２には電源Ｖｃ及びグランドに対して接続されるが、図７ではグランド接続点を、グランド領域Ｇ２として示している。（グランド領域Ｇ１，Ｇ２については図８で後述）
そして、上述もしたように、差動アンプＡ１，Ａ２のネガティブフィードバック側は抵抗Ｒ２（Ｒ４）及びコンデンサＣ１（Ｃ２）を介してグランド接続されるが、この図７に示すように、このネガティブフィードバック側の接地は、基板上のグランド配線パターンＰGを介して、ジャック５７の近傍のグランド領域Ｇ１に接続されることでなされている。
グランド配線パターンＰGは、信号線パターンＰL、ＰRと並走するように形成されているものである。
【００７２】
機器内のデジタルノイズ、モータノイズ、電源回路系ノイズなどは、信号線パターンＰL、ＰRに流れるマイク入力オーディオ信号ＬMIC、ＲMICに影響を与える。つまりマイク入力オーディオ信号ＬMIC、ＲMICにノイズ成分Ｎが重畳される。
このとき、グランド配線パターンＰGが信号線パターンＰL、ＰRと並走するように形成されていると、ノイズ成分Ｎは、グランド配線パターンＰGにも乗ることになる。そして差動アンプＡ１、Ａ２のネガティブフィードバック側がのグランド配線パターンＰGに接続されていることで、マイク入力オーディオ信号ＬMIC、ＲMICにのったノイズ成分Ｎと同レベル同位相のノイズ成分が、差動アンプＡ１，Ａ２の基準電位側にあらわれることになる。そして差動アンプＡ１、Ａ２では、マイク入力オーディオ信号ＬMIC、ＲMICを非反転入力とし、基準電位との差分に応じて増幅するため、マイク入力オーディオ信号ＬMIC、ＲMICと基準電位側に同相ノイズ成分があらわれていることで、このノイズ成分がキャンセルされることになる。
要するに本例は、差動アンプＡ１、Ａ２の基準電位側にマイク入力オーディオ信号ＬMIC、ＲMICと同じノイズ成分があらわれるように基板上の配線パターンを形成することで、プリアンプ部５０Ｌ、５０Ｒにおいてデジタルノイズ、モータノイズ、電源回路系ノイズ等の影響をキャンセルするものである。
【００７３】
実際の基板上のプリントパターン例を図８に示す。なお、本例の特徴と直接関係内部分については記載を省略している。また図９は図８に対応した回路図である。
図９において太線はグランドを示しているが、これは基板上のパターン形状ではなく、電気的に示しているものである。
図８及び図９のコンデンサＣ１、Ｃ２は、図６，図７に示したネガティブフィードバック側のコンデンサＣ１、Ｃ２に相当し、また図８及び図９のコンデンサＣ３，Ｃ４は、図６，図７のマイク入力オーディオ信号ＬMIC、ＲMICの信号経路におけるＤＣカット用のコンデンサＣ３，Ｃ４に相当する。
【００７４】
また図８、図９におけるＩＣ７０は図６に示したＩＣ７０であり、その端子（ピン）Ｐ１〜Ｐ５としてマイクアンプ５ａに関する部分のみを示している。端子Ｐ１は、図６の差動アンプＡ１のネガティブフィードバック側の抵抗Ｒ２と外付けコンデンサＣ１の接続点となる。端子Ｐ２は、図６の差動アンプＡ１の非反転入力端子である。
端子Ｐ３は図６の差動アンプＡ２の非反転入力端子である。端子Ｐ４は、差動アンプＡ２のネガティブフィードバック側の抵抗Ｒ４と外付けコンデンサＣ２の接続点となる。
端子Ｐ５は、ＩＣ７０のグランド端子としてのピンである。
【００７５】
なお、図８、図９における抵抗Ｒ１１，Ｒ１２、コンデンサＣ１１〜Ｃ１４は、図６，図７では記載を省略した。
【００７６】
図８（ａ）は基板の１層目のパターンを、また図８（ｂ）は基板の２層目のパターンを示している。
図８（ａ）に示されるように、基板上にはジャック５７のＬ端子５７Ｌ、Ｒ端子５７Ｒ、グランド端子５７Ｇにそれぞれ接続されるパターンが形成される。
Ｌ端子５７Ｌに対応するパターンからは、抵抗Ｒ１０，コンデンサＣ３，Ｃ１１、Ｃ１３をマウントするパターン部分を介して、信号線パターンＰLが形成され、この経路でマイク入力オーディオ信号ＬMICがＩＣ７０の端子Ｐ２に供給される。
Ｒ端子５７Ｒに対応するパターンからは、抵抗Ｒ１１，コンデンサＣ４，Ｃ１２、Ｃ１４をマウントするパターン部分を介して、信号線パターンＰRが形成され、この経路でマイク入力オーディオ信号ＲMICがＩＣ７０の端子Ｐ３に供給される。
そして信号線パターンＰL、ＰRと並走するようにグランド配線パターンＰGが形成されている。
【００７７】
ＩＣ７０の端子Ｐ１を接続するパターン部分からは、コンデンサＣ１をマウントするパターンが形成される。また端子Ｐ４を接続するパターン部分からは、コンデンサＣ２をマウントするパターンが形成される。
【００７８】
図８（ｂ）に示されるように２層目にはグランドとしてのパターンが形成される。なお図８（ａ）（ｂ）のＨ１〜Ｈ５は、１層目と２層目を電気的に接続しているポイントを示している（例えばスルーホール）。
図８（ｂ）のグランドパターンは大きく分けて領域Ｇ１と領域Ｇ２に分かれている。領域Ｇ２は、最もインピーダンスの低いグランドとして広い面積において形成される。領域Ｇ１は、特にジャック５７のグランド端子５７ＧからコンデンサＣ１、Ｃ２のマウント位置の間において形成され、特にはその領域Ｇ１の一部は、１層目における信号線パターンＰL、ＰRと並走するような位置状態で、グランド配線パターンＰGが形成される。
【００７９】
このようなパターンにおいて、グランド接続状態は次のようになる。
ＩＣ７０の端子Ｐ５はポイントＨ４において２層目のグランド領域Ｇ２に接続される。
コンデンサＣ１、Ｃ２の一端は、ポイントＨ２、Ｈ３から２層目の領域Ｇ１に接続される。２層目においてはポイントＨ２、Ｈ３が領域Ｇ１の先端部分とされ、その領域Ｇ１はジャック５７のグランド端子５７Ｇのマウント位置まで続く。
グランド端子５７Ｇのマウント位置ではポイントＨ５で１層目と２層目のグランドパターンが接続される。
１層目において信号線パターンＰL、ＰRと並走するグランド配線パターンＰGは、ポイントＨ１において２層目のグランド領域Ｇ１と接続される。
【００８０】
このような基板上のプリントパターンによれば、１層目と２層目において信号線パターンＰL、ＰRと並走するグランド配線パターンＰGが形成され、ＩＣ７０内のマイクアンプ５ａにおける差動アンプＡ１，Ａ２のネガティブフィードバック側は、ポイントＨ２，Ｈ３から、グランド配線パターンＰGを介した状態でグランド接続されるものとなる。
これにより、図７で説明したように、差動アンプＡ１、Ａ２の反転入力側（基準電位側）には、マイク入力オーディオ信号ＬMIC、ＲMICと同相同レベルのノイズ成分が重畳されることになり、差動増幅処理によってノイズキャンセルが行われることになる。
通常、ネガティブフィードバック側のグランドは、極力インピーダンスの低いポイント（例えば領域Ｇ２）に接続するものとされるが、本例では、あえてこれを避け、信号線パターンＰL、ＰRと並走するグランド配線パターンＰGを介してグランドにおとすことで、ノイズキャンセルを実現するものである。
【００８１】
以上、実施の形態を説明してきたが、本発明としては多様な変形例が考えられる。
マイクロホンとしては外部マイクロホンがジャック５７に接続されるものとしたが、機器に内蔵するマイクロホンの場合も、本発明を適用できる。
またライン入力、或いはその他の入力経路において同様のグランド配線手法を用いてもよい。
【００８２】
また、上記例では、ＭＤに対応する記録再生装置を例に挙げて本発明の実施の形態を説明したが、本発明は多様な機器において適用可能である。
例えばＭＤ以外のディスクメディアとして、ＣＤ（Compact Disc）方式、ＤＶＤ（Digital Versatile Disc）方式、ブルーレイディスク（Blu-Ray）方式のディスクが知られ、それらの方式のディスクに対してオーディオ信号を記録できるシステムも知られているが、それらのシステムとしての記録装置等において本発明のオーディオ機器を適用できる。
また、ハードディスクを用いたオーディオ記録機器、磁気テープ等を用いた録音機器、さらには半導体メモリカード或いは内蔵の固体メモリを記録メディアとしてオーディオ信号の記録を行う記録機器などにも、本発明を適用できる。
また例えば磁気テープやディスク等を記録メディアとして録画を行う映像撮像機器（ビデオカメラ）におけるオーディオ入力系において本発明を採用することも好適である。
さらにはマイクロホン入力音声にについて、記録（録音）を行わずに例えば送信出力する機器においても本発明は適用できる。
即ち、マイクロホン音声等のオーディオ信号を入力する機器、或いはオーディオ信号を入力して記録メディアに録音する機器であれば、どのようなものでも本発明は適用できる。
【図面の簡単な説明】
【００８３】
【図１】本発明の実施の形態の記録再生装置のブロック図である。
【図２】実施の形態の記録再生装置が対応するディスクの説明図である。
【図３】実施の形態の記録再生装置が対応するディスクの説明図である。
【図４】実施の形態の記録再生装置のストレージ部のブロック図である。
【図５】実施の形態のマイクロホン／ライン入力系の構成のブロック図である。
【図６】実施の形態のマイクアンプを含むＩＣの回路ブロックの説明図である。
【図７】実施の形態のノイズキャンセル原理の説明図である。
【図８】実施の形態の基板上のパターン例の説明図である。
【図９】実施の形態の基板上のパターン例に対応した回路図である。
【符号の説明】
【００８４】
１  記録再生装置、２  ストレージ部、３  キャッシュメモリ、４  ＵＳＢインタフェース、５  入出力処理部、５ａ  マイクアンプ、５ｂ  ＡＧＣ及びＡ／Ｄ変換部、５ｃ  エンコーダ、６  表示部、７  操作部、８  システムコントローラ、８ａ  ＲＯＭ、８ｂ  ＲＡＭ、９  キャッシュ管理メモリ、５０Ｌ，５０Ｒ  プリアンプ部、Ａ１，Ａ２  差動アンプ、ＰL，ＰR  信号線パターン、ＰG  グランド配線パターン
【図１】
2005252945.tif 000003
【図２】
2005252945.tif 000004
【図３】
2005252945.tif 000005
【図４】
2005252945.tif 000006
【図５】
2005252945.tif 000007
【図６】
2005252945.tif 000008
【図７】
2005252945.tif 000009
【図８】
2005252945.tif 000010
【図９】
2005252945.tif 000011